(57)【特許請求の範囲】
【請求項１】
非構造壁と柱あるいは梁などの構造骨組の接合部分に沿って、垂直スリット材ならびに屋外側の側面が長手方向に続く傾斜状面となっている水平スリット材をそれぞれの部位に埋設した非構造壁のスリット構造であって、前記垂直スリット材は、側面が前記水平スリット材の傾斜状面の下端縁とほぼ同じかそれよりも前方の位置において、下端面側に実質的に空隙が形成されない状態で当該水平スリット材に連接されることを特徴とする非構造壁のスリット構造。
【請求項２】
前記垂直スリット材の端面と前記水平スリット材の傾斜状面との間に形成される空隙を補助スリット材で補填したことを特徴とする請求項１に記載の非構造壁のスリット構造。
【請求項３】
前記垂直スリット材の端部を前記水平スリット材の傾斜状面に嵌合可能な傾斜状端面としたことを特徴とする請求項１に記載の非構造壁のスリット構造。
【発明の詳細な説明】
【０００１】
【発明の属する技術分野】
本発明は、コンクリート造建物における柱あるいは梁などの構造骨組と、これに連なる非構造壁との接合部分に形成される耐震用のスリット構造に関するものである。
【０００２】
【従来の技術】
近年、ビル等のコンクリート造の建物では、柱や梁等の構造骨組と非構造壁の境界部分に、層間変位に対する力学的な不連続部となる構造スリットを形成する目的で、スリット材と称される緩衝材を使用する工法が普及しつつある。このスリット材は、壁を貫通もしくは所定の壁厚を残すように埋設され、当該スリット材を介して建造物が構造的に分断されている。すなわち、地震による外力を受けたときには、建造物に生じる変形力を非構造壁の周囲に埋設したスリット材により構造骨組への伝達を遮断し、建造物の剪断破壊、脆性破壊を回避するようになっている。この種の耐震用スリット材には、鉄筋コンクリート建造物の壁（非構造壁）と、これに連設される柱との境界部付近に埋設する垂直スリット材と、建造物の上層階の壁と下層階の梁との間に設けられる水平スリット材とがある。そして、これら二種のスリット材を適宜組み合わせて非構造壁の周囲に埋設することにより、柱等の構造骨組に対して非構造壁を積極的に切り離すようにしている。ここで使用される水平スリット材の従来例として、特開平１１−３３６２２９号あるいは特開２００１−３４９２号に記載のものが知られている。かかるスリット材は、屋外側の側面すなわち目地部側に向いた側面を下方に傾斜させた形状とすることにより、目地部からの雨水の浸入を防止すると同時に、それ以前の矩形状横断面のスリット材を適用した場合に問題となっていた外壁面の目地部付近におけるクラックの発生を抑制するものである。
【０００３】
【発明が解決しようとする課題】
ところで、この種の傾斜状側面に形成されている水平スリット材を一般的な垂直スリット材と併用して施工する場合には、両スリット材が目地部の表面からほぼ同じ深さに埋設されるように、互いの側面をほぼ一致させた位置において、水平スリット材の上面に垂直スリット材の下端面を当接させて載置する必要がある。このため、水平スリット材の傾斜状面と垂直スリット材の下端面との間には、三角柱状の空隙が残る。したがって、コンクリートを打設したとき、両スリット材の交差部となるこの小さな空隙部分にもコンクリートが侵入することになる。その結果、垂直スリット材の外面側に形成される縦目地の下端部分には、小さな突起が壁体の側面から目地部内に突出した状態となる。このコンクリート突起は強度的に弱いことから、軽微な地震でも当該個所にクラックが発生しやすく、場合によっては壁面からの剥落にもつながり、局部的ではあるものの止水性に問題が残されていた。
【０００４】
本発明は、かかる従来技術の問題点に鑑みなされたもので、傾斜状側面を有する水平スリット材の利点を遺憾無く発揮させることにより止水性を改善した非構造壁のスリット構造の提供をその目的とする。
【０００５】
【課題を解決するための手段】
上記目的を達成するため、本発明では、非構造壁と柱あるいは梁などの構造骨組の接合部分に沿って、垂直スリット材ならびに屋外側の側面が長手方向に続く傾斜状面となっている水平スリット材をそれぞれの部位に埋設した非構造壁のスリット構造において、前記垂直スリット材は、側面が前記水平スリット材の傾斜状面の下端縁とほぼ同じかそれよりも前方の位置において、下端面側に実質的に空隙が形成されない状態で当該水平スリット材に連接されることを特徴としている。
【０００６】
この構成によれば、非構造壁の周囲に水平スリットと垂直スリットを連接状態に形成するに際して、屋外側の側面が傾斜状に形成されている水平スリット材に対して、垂直スリット材を両者の当接部に空隙がほとんど生じないように載置あるいは添設するものであるから、打設したコンクリートが縦目地の内部にまで侵入することはない。したがって、コンクリート壁体の縦目地側の下端部には、クラックや剥落につながる小さなコンクリート突起が形成されないので、側面が傾斜状に形成された水平スリット材の大きな特長である止水性等がそのまま発揮され、壁面全体としての止水性が大きく向上する。
【０００７】
なお、前記垂直スリット材と前記水平スリット材の連接部分を実質的に空隙のない状態とするには、幾つかの方法がある。例えば、端面が長手方向に対して直角に形成されている垂直スリット材を適用する場合は、水平スリット材の上面に載置したときにその傾斜状面との間に形成される三角柱状の空隙に対して、予め同様な立体形状に形成しておいた補助スリット材を補填すればよい。また、垂直スリット材の端部を水平スリット材の傾斜状面に嵌合可能な傾斜状端面としてもよく、いずれの場合においても止水性の向上に効果がある。
【０００８】
【発明の実施の形態】
本発明による非構造壁のスリット構造において、柱部と非構造壁との間に設置される垂直スリット材、ならびに梁部と非構造壁との間に設置される水平スリット材の素材としては、基本的には圧縮力を受けたときに適度に体積が減少する素材であればよい。具体例としては、発泡ポリエチレンに代表される発泡高分子材料、珪酸カルシウム板、炭酸カルシウム発泡材等が挙げられるが、もちろんこれに限定されるものではない。また、上記補助スリット材を使用する場合には、その固定手段として、例えば粘着テープや接着剤により水平スリット材の傾斜状側面に貼着したり、あるいは垂直スリット材の端面に貼着すると、施工の面で好都合である。
【０００９】
【実施例】
以下、本発明の実施例について、添付図面を参照しながら説明する。図１は、本発明に係る非構造壁におけるスリット構造を屋内側から見たときの全体説明図である。図１において、非構造壁（外壁）１は、両側の柱２，２と梁３と下層階の梁４に囲まれ、さらに柱２，２との間には垂直スリット材５が、また下層階の梁４との間には水平スリット材６がそれぞれ埋設されることにより、柱２および梁４等の構造骨組に対して構造的に分断された構造となっている。図２は、図１における垂直スリット材５と水平スリット材６との交差部、すなわち非構造壁１の下側の隅部付近を示す縦断面図である。この場合、水平スリット材６は、下層階の梁４側に配置される第一のスリット材７と、上層階の非構造壁１の下端側に配置される第二のスリット材８とで構成されている。そして、垂直スリット材５は、第二のスリット材８の上面に互いの側面がほぼ一致する位置で載置されている。そして、これら両スリット材５，６の側面外方に連なる横目地９ａおよび縦目地９ｂには、バックアップ材１１ａ，１１ｂを介してコーキング１２材が充填されている。
【００１０】
ここで、第一のスリット材７は、発泡ポリエチレン等の適度な弾性を有する素材からなり、一方の側面が傾斜した横断面台形状に形成されるとともに、上下方向に貫通する通孔（図示せず）が長手方向に沿って複数設けられたものである。そして、後述する支持具２０の保持部２１に固定された状態で所定位置、すなわち非構造壁の一部をなす下層階の梁４の外面上端部に形成された水平方向の目地部９ａの内部に長手方向に沿って配設されている。また、第二のスリット材８は、目地部９ａ側に傾斜面８ａを有する一方のスリット材本体８ｂと、同じ厚さ（スリット幅に相当）で矩形状断面に形成されている他方のスリット材本体８ｃとの間に、ロックウール等の不燃材８ｄが設けられ、これらを２枚の樹脂クロステープ（図示せず）により両面から挟んだ構成になっている。この場合、スリット材本体８ｂ，８ｃはいずれも発泡ポリエチレン製である。そして、この傾斜面８ａを含む傾斜状側端部において前記第一のスリット材７の上面に並置されている。なお、傾斜面８ａの角度は４５度が最適であるが、必ずしもこの角度に限定されることなく、使用条件等に応じて適宜変更することが可能である。また、傾斜面８ａは必ずしも直線状である必要はなく、外側に向けて曲線的に漸減する傾斜曲面としてもよい。いずれの場合においてもその効果に大差はない。
【００１１】
ここで、第一のスリット材７を所定位置に固定するための支持具２０は、図３に拡大して示すように、横断面Ｌ字状の保持部２１と、この保持部２１の立上がり壁部を共有してその背面側に設けられた横断面略コ字状の連結部２２からなる。この連結部２２は、設置の際に目地棒１３との嵌合に供される。さらに、この実施例では、保持部２１の水平部分に続いて斜め下方にアンカー部２３が一体に形成されるとともに、水平部分には孔（図示せず）が設けられている。なお、この孔は、支持具２０全体としては長手方向に沿って所定間隔ごとに複数個設けられる。また、素材にはポリ塩化ビニル等の合成樹脂が好適であるが、金属等の他の素材でも何ら支障はない。
【００１２】
次に、本発明に係る非構造壁の施工手順について、図３ないし図７も参照しながら説明する。まず、下層階の垂直型枠（外型枠）１４の所定位置、すなわち図２における水平方向の目地部９ａに相当する位置に横目地用の目地棒１３を釘等により水平に固着する。続いて、第一のスリット材７が粘着テープ等を介して保持部２１に固定されている状態の支持具２０を、目地棒１３の背面側からその連結部２２を嵌合させることにより、第一のスリット材７を垂直型枠１４に対して簡単かつ確実に固定することができる。ここで、第一のスリット材７の傾斜面側から、さらに無頭釘を打ち込めば、その固定強度は一段と高まる。また、支持具２０のみを目地棒１３に嵌着した後、第一のスリット材７を保持部２１に取り付けるようにしてもよい。そして、適宜の内型枠（図示せず）を設置して下層階のコンクリートを第一のスリット材７の上面位置まで打設する。この場合、第一のスリット材７に設けられている通孔７ａは、支持具２０の孔とそれぞれ連通しており、これらが空気抜き孔として機能する結果、下層階のコンクリートを打設したとき、垂直型枠１４に対して水平方向に突出している目地棒１３と支持具２０の裏側に空気が溜まることはなく、密実なコンクリートの充填状態が得られる。
【００１３】
図４に示すように、下層階のコンクリート４が硬化した後、第二のスリット材８をその表面の所定位置に置き、粘着テープ、コンクリート釘等を介して下層階のコンクリート面に固定する。さらに、第二のスリット材８の傾斜面８ａには、垂直スリット材を載置すべき位置に補助スリット材１０を固定する。この補助スリット材１０は、前記第一のスリット材７あるいは第二のスリット材８と同様な素材からなるもので、図５に拡大して示すように、前記第二のスリット材８の傾斜面８ａに当接してスリット材本体８ｂを実質的に矩形状横断面とすることができる横断面が直角三角形状の柱体である。この場合、本体１０ａの斜面部分、すなわち第二のスリット材８の傾斜面８ａとの当接面にはブチルテープ等の適宜粘着テープ１０ｂが貼着され、第二のスリット材８に対して簡単に貼り付けることができるようになっている。続いて、図６に示すように、適宜形状の保持具５ａ，５ｂが両側面部に嵌着されている垂直スリット材５を、補助スリット材１０の本体１０ａのコーナー部分とその側面がほぼ一致するように載置する。そして、図７に示すように、予め所定位置に縦目地用の目地棒１５を固着した上層階用の外型枠１６および内型枠１７を設置して上層階のコンクリートを打設する。このコンクリートが硬化した後、目地棒１５が固着したまま外型枠１６と内型枠１７を外す。さらに、目地棒１３，１５が外された後の縦横の目地部９ａ，９ｂの内部には、目地棒１３，１５に代わってバックアップ材１１ａ，１１ｂを支持具２０および保持具５ａ，５ｂのそれぞれの溝内に押し込み、その外側にコーキング材１２を充填すると、本発明に係る非構造壁のスリット構造が形成される（図２参照）。なお、図示はされていないが、上層階の外壁１と下層階の梁４の間には、アンカー鉄筋が第二のスリット材８を貫通するように埋設され、その上面側にはコンクリートの付着を切るための有底筒状のプラスチックカバーが被覆されている。また、実施例では第二のスリット材８の下端縁が第一のスリット材７の屋外側側面とほぼ面一となるように設置した場合について説明したが、第二のスリット材８を第一のスリット材７の屋外側側面よりも後退した位置に設置することは可能であり、この場合には、補助スリット材１０の柱体形状もそれに合わせて横断面が直角三角形状から一方が直角の台形状に変更すればよい。
【００１４】
このように、屋外側が長手方向に続く傾斜面８ａとなっている水平スリット材８と垂直スリット材５を用いて非構造壁１の周囲にスリット構造を形成する本願発明では、両スリット材５，８の当接部分にコンクリートが侵入可能な空隙が実質的に残らないので、上層階のコンクリートを打設する際に、非構造壁１の側面から目地部９ａ，９ｂ内に突出する強度的に弱い部分が形成されることなく、コンクリート型枠１６，１７内の必要な場所のみに確実にコンクリートが充填される。このため、従来技術において局部的に止水性低下の原因となっていた外壁下端部でのクラックやコンクリートの剥落が生じにくく、全体としての止水性が大きく向上する。
【００１５】
上記実施例において、支持具２０および保持具５ａ，５ｂは、いずれも引抜きに対するアンカー部分を有することから、取付の際に無頭釘を併用した場合でも、垂直型枠１６，１７および目地棒１５を外す際に一緒に引き抜かれることはない。なお、図２に示すような不燃材８ｄを有する第二のスリット材８、あるいは耐火性に欠けるスリット材を使用する場合には、コーキング材１２として耐火性に富む素材からなるものを適用することが望ましい。さらに、第二のスリット材８の傾斜面８ａと第一のスリット材７に近接する底面部分にブチルゴムシート等の止水材を設けた場合には、打継部分における防水性は一段と向上する。
【００１６】
さらに、本発明の他の実施例について、図８ないし図１０に基づき説明する。図８は、補助スリット材の取付方法が異なる実施例である。この補助スリット材３０は、前記実施例における補助スリット材と同様な形状の本体３０ａの側面に、Ｌ形の連結片３０ｂを互いのコーナー部分が近接するように取り付けたものである。この場合、垂直スリット材５に対して、屋外側の保持具５ａを嵌着する際に連結片３０ｂの立上がり部分を挟み込むことにより、垂直スリット材５と一体にすることができる。これにより、前記実施例に比べて垂直スリット材５の位置決め作業が容易になる。次に、図９に示す実施例は、補助スリット材を使用することなく、垂直スリット材５と屋外側の保持具５ａを第二のスリット材８の傾斜面８ａに合わせて切断したものである。また、上記各実施例のごとく水平スリット材８の上面に垂直スリット材５を載置する代わりに、図１０に示すように、補助スリット材４０の上面に垂直スリット材５を載置してもよい。ここで使用する補助スリット材４０は、水平スリット材８の厚さ（スリット幅）と長さに合わせた角柱状に形成されたものであり、第二のスリット材８の端部に添設される。なお、図示はしないが、第二のスリット材８に対して第一のスリット材７の長さを垂直スリット材５の厚さ（スリット幅）に相当する分だけ長くし、その余長部分に垂直スリット材５を載置してもよい。いずれの場合においても、垂直スリット材５と水平スリット材８との間には、打設したコンクリートが侵入可能な空隙が実質的に生じないことから、前記実施例と同様な作用効果が得られる。
【００１７】
なお、上記各実施例では、水平スリット材としてそれぞれ側面が直線状に傾斜している二種のスリット材から構成されるものを例に説明したが、もちろんこれに限定されるものではない。例えば、上側の水平スリット材の側面が曲線的に傾斜していてもよく、また下側のスリット材については矩形状断面のものを使用することは何ら支障はない。さらに、保持具あるいは支持具の形状、材質などを変更したり、施工手順を変更するなど、この発明の技術思想内での種々の変更実施は可能である。
【００１８】
【発明の効果】
以上説明したように、本発明によるコンクリート建造物における非構造壁のスリット構造では、非構造壁と柱あるいは梁などの構造骨組の接合部分に沿って、垂直スリット材ならびに屋外側の側面が傾斜状に形成されている水平スリット材をそれぞれの部位に設置するにあたり、垂直スリット材を水平スリット材に対してその端面と傾斜状側面との間にコンクリートの侵入可能な空隙が生じないようにするものであるから、コンクリート壁体の周囲には、クラックや剥落につながる強度的に弱い小さな突出部分が形成されない。これにより、壁面における止水性が大きく向上するという実用上優れた効果が得られる。
【図面の簡単な説明】
【図１】本発明による非構造壁のスリット構造の全体説明図である。
【図２】図１に示すスリット構造の要部を示す縦断面図である。
【図３】下層階のコンクリートを打設するにあたり、垂直型枠に対する第一の水平スリット材の取付状態を示す斜視図である。
【図４】下層階のコンクリートを打設した後、第二の水平スリット材と補助スリット材を設置した状態を示す斜視図である。
【図５】本発明で使用する補助スリット材の斜視図である。
【図６】第二の水平スリット材上に垂直スリット材を載置した状態を示す斜視図である。
【図７】上層階のコンクリートを打設するにあたり、内外の垂直型枠を設置した状態を示す一部切断斜視図である。
【図８】補助スリット材の固定方法に関する他の例を示す分解斜視図である。
【図９】他の実施例で使用する垂直スリット材の適用状態を示す斜視図である。
【図１０】他の実施例で使用する補助スリット材の適用状態を示す斜視図である。
【符号の説明】
１…非構造壁、２…柱、３，４…梁、５…垂直スリット材、６…水平スリット材、７…第一のスリット材、８…第二のスリット材、８ａ…傾斜面、９ａ，９ｂ…目地部、１０，４０…補助スリット材、１１ａ，１１ｂ…バックアップ材、１２…コーキング材、１３，１５…目地棒、１４，１６，１７…垂直型枠、２０…支持具
【図１】
0004591938.tif 000002
【図２】
0004591938.tif 000003
【図３】
0004591938.tif 000004
【図４】
0004591938.tif 000005
【図５】
0004591938.tif 000006
【図６】
0004591938.tif 000007
【図７】
0004591938.tif 000008
【図８】
0004591938.tif 000009
【図９】
0004591938.tif 000010
【図１０】
0004591938.tif 000011